(57)【特許請求の範囲】
【請求項１】
浴室の出入口側に流れる浴室床の排水を、当該出入口を構成する建具で止水すると共に、漏れた排水を当該建具の下枠から当該下枠の下側に配設した排水貯留槽に導くようにした浴室の排水構造において、
前記建具は、折戸であり、
前記排水貯留槽は、浴室側および脱衣室側の両側壁と、底面を水平な平坦面で構成した底壁とで断面略「Ｕ」に形成されると共に、内部に前記下枠が着座する複数の着座部が設けられ、
前記複数の着座部は、前記排水貯留槽の浴室側側壁に添わせて配設した複数の浴室側中間着座部、および脱衣室側側壁に添わせて配設した複数の脱衣側中間着座部を有すると共に、上面がそれぞれ同一高さで且つ水平な平坦面で構成され、
前記下枠は、前記浴室側中間着座部に着座するアタッチメント支持部材と、レール部が形成されると共に前記脱衣室側中間着座部に着座する下枠本体と、前記排水貯留層の開閉蓋を兼ねると共に前記下枠本体および前記アタッチメント支持部材間に着脱自在に掛け渡した下枠アタッチメントと、を有していることを特徴とする浴室の排水構造。
【請求項２】
浴室の出入口側に流れる浴室床の排水を、当該出入口を構成する建具で止水すると共に、漏れた排水を当該建具の下枠から当該下枠の下側に配設した排水貯留槽に導くようにした浴室の排水構造において、
前記建具は、浴室ドアであり、
前記排水貯留槽は、浴室側および脱衣室側の両側壁と、底面を水平な平坦面で構成した底壁とで断面略「Ｕ」に形成されると共に、内部に前記下枠が着座する複数の着座部が設けられ、
前記複数の着座部は、前記排水貯留槽の浴室側側壁に添わせて配設した複数の浴室側中間着座部、および脱衣室側側壁に添わせて配設した複数の脱衣側中間着座部を有すると共に、上面がそれぞれ同一高さで且つ水平な平坦面で構成され、
前記下枠は、前記浴室側中間着座部に着座するアタッチメント支持部材と、前記脱衣室側中間着座部に着座する下枠本体と、前記排水貯留層の開閉蓋を兼ねると共に前記下枠本体および前記アタッチメント支持部材間に着脱自在に掛け渡した下枠アタッチメントと、を有していることを特徴とする浴室の排水構造。
【請求項３】
浴室の出入口側に流れる浴室床の排水を、当該出入口を構成する建具で止水すると共に、漏れた排水を当該建具の下枠から当該下枠の下側に配設した排水貯留槽に導くようにした浴室の排水構造において、
前記建具は、折戸であり、
前記排水貯留槽は、浴室側および脱衣室側の両側壁と、底面を水平な平坦面で構成した底壁とで断面略「Ｕ」に形成されると共に、内部に前記下枠が着座する複数の着座部が設けられ、
前記複数の着座部は、前記排水貯留槽の浴室側側壁に添わせて配設した複数の浴室側中間着座部、および脱衣室側側壁に添わせて配設した複数の脱衣側中間着座部を有すると共に、上面がそれぞれ同一高さで且つ水平な平坦面で構成され、
前記下枠は、レール部が形成されると共に前記浴室側中間着座部に着座する下枠本体と、前記脱衣室側中間着座部に着座するアタッチメント支持部材と、前記排水貯留層の開閉蓋を兼ねると共に前記下枠本体および前記アタッチメント支持部材間に着脱自在に掛け渡した下枠アタッチメントと、を有していることを特徴とする浴室の排水構造。
【請求項４】
浴室の出入口側に流れる浴室床の排水を、当該出入口を構成する建具で止水すると共に、漏れた排水を当該建具の下枠から当該下枠の下側に配設した排水貯留槽に導くようにした浴室の排水構造において、
前記建具は、３枚引戸であり、
前記排水貯留槽は、浴室側および脱衣室側の両側壁と、底面を水平な平坦面で構成した底壁とで断面略「Ｕ」に形成されると共に、内部に前記下枠が着座する複数の着座部が設けられ、
前記複数の着座部は、前記排水貯留槽の浴室側側壁に添わせて配設した複数の浴室側中間着座部、および脱衣室側側壁に添わせて配設した複数の脱衣側中間着座部を有すると共に、上面がそれぞれ同一高さで且つ水平な平坦面で構成され、
前記下枠は、前記浴室側中間着座部に着座する浴室側支持部材と、前記脱衣室側中間着座部に着座する脱衣室側支持部材と、前記排水貯留層の開閉蓋を兼ねると共に前記浴室側支持部材および前記脱衣室側支持部材間に着脱自在に掛け渡した下枠本体と、を有していることを特徴とする浴室の排水構造。
【請求項５】
前記排水貯留槽および前記複数の着座部は、一定の肉厚を有して一体に成形されていることを特徴とする請求項１ないし４のいずれかに記載の浴室の排水構造。
【請求項６】
前記複数の着座部は、前記排水貯留槽の長手方向の両端部に配設した２つの端部着座部を、更に有していることを特徴とする請求項１ないし５のいずれかに記載の浴室の排水構造。
【発明の詳細な説明】
【０００１】
【発明の属する技術分野】
本発明は、浴室床の排水を、出入口を構成する建具の下枠の下側に配設した排水貯留槽に導くようにした浴室の排水構造に関するものである。
【０００２】
【従来の技術】
従来、この種の浴室の排水構造として、例えば実用新案登録第２５７３２０６号公報に記載のものが知られている。この排水構造では、折戸および折戸の浴室側に近接して配置したすのこから流下した排水を、これらの下側に配設した排水溝で受けるようになっている。排水溝には、上部が拡開した略「Ｕ」字状断面を有し、その長手方向の各端部には、高さを変えて、すのこが載置されるすのこ載置部と折戸の敷居レールが載置されるレール載置部とが形成されている。また、長手方向の中間部にも、すのこおよび敷居レールが載置される両側の柱状突起およびこれに渡した受け材から成る載置部材が、配設されている。
この場合、すのこ載置部には、すのこが直接載置され、レール載置部には、敷居レールがスペーサを介して載置されている。また、載置部材の受け材には、すのこおよび敷居レールがそれぞれスペーサを介して載置されている。
【０００３】
【発明が解決しようとする課題】
このような従来の排水構造では、排水溝の上部が拡開している分、その設置スペースに比して排水溝の貯留容量が少なくなる問題がある。また、排水溝のすのこおよび敷居レールが載置される部分として、高さの異なる複数種の載置部や載置部材を有しているため、各部にスペーサ等が必要となり、支持状態が不安定になると共に載置部および載置部材の構造が複雑になる問題があった。また、載置部および載置部材の構造が複雑になることで、排水溝が清掃し難いものとなっていた。
【０００４】
本発明は、設置スペースを大きくすることなく、排水貯留槽の貯留容量を大きくとることができると共に、単純な構造で下枠を安定に支持することができる浴室の排水構造を提供することをその目的としている。
【０００５】
【課題を解決するための手段】
本発明の浴室の排水構造は、浴室の出入口側に流れる浴室床の排水を、出入口を構成する建具で止水すると共に、漏れた排水を建具の下枠から下枠の下側に配設した排水貯留槽に導くようにした浴室の排水構造において、建具は、折戸であり、排水貯留槽は、浴室側および脱衣室側の両側壁と、底面を水平な平坦面で構成した底壁とで断面略「Ｕ」に形成されると共に、内部に前記下枠が着座する複数の着座部が設けられ、複数の着座部は、排水貯留槽の浴室側側壁に添わせて配設した複数の浴室側中間着座部、および脱衣室側側壁に添わせて配設した複数の脱衣側中間着座部を有すると共に、上面がそれぞれ同一高さで且つ水平な平坦面で構成され、下枠は、浴室側中間着座部に着座するアタッチメント支持部材と、レール部が形成されると共に脱衣室側中間着座部に着座する下枠本体と、排水貯留層の開閉蓋を兼ねると共に下枠本体およびアタッチメント支持部材間に着脱自在に掛け渡した下枠アタッチメントと、を有していることを特徴とする。
本発明の他の浴室の排水構造は、浴室の出入口側に流れる浴室床の排水を、出入口を構成する建具で止水すると共に、漏れた排水を建具の下枠から下枠の下側に配設した排水貯留槽に導くようにした浴室の排水構造において、建具は、浴室ドアであり、排水貯留槽は、浴室側および脱衣室側の両側壁と、底面を水平な平坦面で構成した底壁とで断面略「Ｕ」に形成されると共に、内部に下枠が着座する複数の着座部が設けられ、複数の着座部は、排水貯留槽の浴室側側壁に添わせて配設した複数の浴室側中間着座部、および脱衣室側側壁に添わせて配設した複数の脱衣側中間着座部を有すると共に、上面がそれぞれ同一高さで且つ水平な平坦面で構成され、下枠は、浴室側中間着座部に着座するアタッチメント支持部材と、脱衣室側中間着座部に着座する下枠本体と、排水貯留層の開閉蓋を兼ねると共に下枠本体およびアタッチメント支持部材間に着脱自在に掛け渡した下枠アタッチメントと、を有していることを特徴とする。
本発明の他の浴室の排水構造は、浴室の出入口側に流れる浴室床の排水を、出入口を構成する建具で止水すると共に、漏れた排水を建具の下枠から下枠の下側に配設した排水貯留槽に導くようにした浴室の排水構造において、建具は、折戸であり、排水貯留槽は、浴室側および脱衣室側の両側壁と、底面を水平な平坦面で構成した底壁とで断面略「Ｕ」に形成されると共に、内部に前記下枠が着座する複数の着座部が設けられ、複数の着座部は、排水貯留槽の浴室側側壁に添わせて配設した複数の浴室側中間着座部、および脱衣室側側壁に添わせて配設した複数の脱衣側中間着座部を有すると共に、上面がそれぞれ同一高さで且つ水平な平坦面で構成され、下枠は、レール部が形成されると共に浴室側中間着座部に着座する下枠本体と、脱衣室側中間着座部に着座するアタッチメント支持部材と、排水貯留層の開閉蓋を兼ねると共に下枠本体およびアタッチメント支持部材間に着脱自在に掛け渡した下枠アタッチメントと、を有していることを特徴とする。
本発明の他の浴室の排水構造は、浴室の出入口側に流れる浴室床の排水を、出入口を構成する建具で止水すると共に、漏れた排水を建具の下枠から下枠の下側に配設した排水貯留槽に導くようにした浴室の排水構造において、建具は、３枚引戸であり、排水貯留槽は、浴室側および脱衣室側の両側壁と、底面を水平な平坦面で構成した底壁とで断面略「Ｕ」に形成されると共に、内部に前記下枠が着座する複数の着座部が設けられ、複数の着座部は、排水貯留槽の浴室側側壁に添わせて配設した複数の浴室側中間着座部、および脱衣室側側壁に添わせて配設した複数の脱衣側中間着座部を有すると共に、上面がそれぞれ同一高さで且つ水平な平坦面で構成され、下枠は、浴室側中間着座部に着座する浴室側支持部材と、脱衣室側中間着座部に着座する脱衣室側支持部材と、排水貯留層の開閉蓋を兼ねると共に浴室側支持部材および脱衣室側支持部材間に着脱自在に掛け渡した下枠本体と、を有していることを特徴とする。
【０００６】
この構成によれば、排水貯留槽が、両側壁と、底面を水平な平坦面で構成した底壁とで断面略「Ｕ」に形成されるため、設置スペースを広げることなく、排水貯留槽の貯留容量を最大限大きくとることができる。また、下枠が着座する複数の着座部が、それぞれ上面が同一高さで且つ水平な平坦面で構成されているため、全く同一のレベルで下枠を直接支持することができ、着座部の構造および下枠の構造を単純化することができる。
【０００７】
この場合、排水貯留槽および複数の着座部は、一定の肉厚を有して一体に成形されていることが、好ましい。
【０００８】
この構成によれば、排水貯留槽および複数の着座部を簡単に形成することができると共に、排水貯留槽および着座部が相互に補強リブとして機能するため、排水貯留槽および着座部の強度アップを図ることができる。
【０００９】
これらの場合、複数の着座部は、排水貯留槽の長手方向の両端部に配設した２つの端部着座部を、更に有していることが、好ましい。
【００１０】
この構成によれば、排水貯留槽の端部において下枠を適切に支持することかできると共に、中間部において、排水の流れを阻害することなく下枠を適切に支持することかできる。
【００１１】
【発明の実施の形態】
以下、添付図面を参照して、本発明の一実施形態に係る浴室の排水構造について説明する。この浴室は、脱衣室との間に段差を無くしたバリアフリー設計のユニットバスで構成されており、図１は浴室（ユニットバス）の出入口廻りの部分拡大縦断面図である。同図に示すように、浴室Ａの出入口には、建具として、２枚の折戸本体（図示では１枚のみ表示）２と枠体３とから成る折戸（中折戸）１が設けられている。この場合、浴室Ａの防水パン（浴室床）４と、後述する枠体３の下枠３１と、脱衣室Ｂの床５とはほぼ面一に、すなわち段差が生じないように配設されている。
【００１２】
本来、浴室Ａの洗い場における排水は、防水パン４の浴槽側に設けた図外の主排水トラップから排水される。しかし、浴槽から湯（排水）が溢れる等の場合には、この排水の一部が下枠３１側に走り水となって流れる。そこで、この段差の無い床構造に対応して、防水パン４上を下枠３１側に流れる排水を折戸１の部分で止水し、漏れた排水を下枠３１から排水貯留槽６に流下させ、更に排水貯留槽６から上記の主排水トラップに連なる排水管７に導くようにしている。この場合、排水貯留槽６は、防水パン４の端部にこれと一体に形成され、下枠３１に沿ってこれと平行に延在している。
【００１３】
各折戸本体２は、上框（図示省略）、下框２２および両縦框（図示省略）を框組みした框体２１にガラスなどのパネル体（図示省略）を組み込んで構成されている。下框２２の下端部には、上記の走り水を止水する下框側シール部材２３が垂下されている。一方、枠体３は、上枠（図示省略）、下枠３１および両縦枠３２を枠組みして構成されており、上枠、下枠３１および両縦枠３２は、いずれも折戸本体２に比べて浴室Ａ側に大きく張り出している。
【００１４】
下枠３１は、排水貯留槽６の脱衣室Ｂ側に臨む下枠本体３３、浴室側に臨むアタッチメント支持部材３４と、下枠本体３３とアタッチメント支持部材３４との間に掛け渡した下枠アタッチメント３５とを備えている。下枠本体３３は、本体中空部４１と、本体中空部４１の脱衣室Ｂ側の上端から上方に延びるシール取付部４２と、シール取付部４２の上端から屈曲して脱衣室Ｂ側に延びる床押さえ部４３とを有すると共に、本体中空部４１の浴室Ａ側の上端から上方に延びるアタッチメント係止部４４と、アタッチメント係止部４４から上方に延びるレール部４５とを有しており、これらは一体に形成されている。
【００１５】
シール取付部４２には、先端部を二股に形成した下枠側シール部材４６が装着されており、下枠側シール部材４６は斜め上方に延在して、折戸本体２の下框２２の下端部に密接している。アタッチメント係止部４４は、上下の中間部に差込み溝を有して変形Ｕ字状に形成されており、浴室Ａ側に向いたこの差込み溝に下枠アタッチメント３５の一方の端部が係止されるようになっている。また、アタッチメント係止部４４の下部には、複数個の水抜き孔４７が形成され、レール部４５を越えて浸入してきた排水は、この水抜き孔４７から排水貯留槽６に導かれる。レール部４５は、折戸本体２の開閉を案内する部位であり、レール部４５の浴室Ａ側の面には上記の下框側シール部材２３が密接している。
【００１６】
上述した走り水は、レール部４５に密接する下框側シール部材２３により止水されるが、この下框側シール部材２３から漏れ且つレール部４５を越えて浸入してくる排水は、アタッチメント係止部４４とシール取付部４２との間の空間に流れ込み、水抜き孔４７から排水貯留槽６に流下する。また、上記の空間から脱衣室Ｂ側に向かう漏水は、下枠側シール部材４６で完全にシールされる。したがって、下枠３１と脱衣室Ｂの床５とがほぼ面一に形成されていても、走り水が脱衣室Ｂ側に漏れるのを確実に防止することができる。
【００１７】
下枠アタッチメント３５は、下枠本体３３のアタッチメント係止部４４に係止される係止片部５１と、係止片部５１から斜めに立ち上がって、防水パン４とほぼ面一に浴室側に延びるアタッチメント本体５２と、アタッチメント本体５２の浴室Ａ側の端部に垂設した垂設部５３とで、一体に形成されている。垂設部５３は、アタッチメント支持部材３４に着座しており、この部分を引き上げ、係止片部５１をアタッチメント係止部４４から引き抜くことにより、下枠アタッチメント３５を取り外し得るようになっている。すなわち、下枠アタッチメント３５は、下枠本体３３およびアタッチメント支持部材３４に対し着脱自在に構成され、排水貯留槽６の上部を開放する開閉蓋を兼ねている。したがって、下枠アタッチメント３５を取り外すことにより、排水貯留槽６の清掃等のメンテナンスが可能になる。
【００１８】
アタッチメント支持部材３４は、部材中空部６１と、部材中空部６１の浴室側の上端から逆「Ｌ」字状に延びるパン押さえ部６２とで、一体に形成されている。パン押さえ部６２は、先端部が下側に湾曲し防水パン４の端部に載っている。また、部材中空部６１の上面には、下枠アタッチメント３５の垂設部５３が着座しており、この状態でパン押さえ部６２の上面と下枠アタッチメント３５のアタッチメント本体５２の上面とは面一に配設されている。なお、アタッチメント支持部材３４や下枠アタッチメント３５の継ぎ目等から漏れる排水は、その下側に位置する排水貯留槽６に流下する。
【００１９】
そして、このように構成された下枠本体３３およびアタッチメント支持部材３４は、下枠アタッチメント３５を支持した状態で、排水貯留槽６の内側に形成された複数の着座部８に着座している。
【００２０】
図２および図３に示すように、排水貯留槽６は上面視、方形に形成され、且つ所定の深さを有して、断面略「Ｕ」字状に形成されている。すなわち、排水貯留槽６は、防水パン４の端部から鉛直方向下方に延びる浴室側側壁６ａと、浴室側側壁６ａから脱衣室Ｂ側に水平に延びる下壁６ｂと、下壁６ｂから鉛直方向上方に延びる脱衣室側側壁６ｃと、長手方向両端部の端部壁６ｄとで、構成されている。また、複数の着座部８は、両端部壁６ｄに添わせて配設した２つの端部着座部８ａと、浴室側側壁６ａおよび脱衣室側側壁６ｃに添わせて配設した各一対で且つ複数組（実施形態では４組）の中間着座部８ｂとで構成されている。そして、排水貯留槽６と複数の着座部８とは、繊維強化プラスチック（ＦＲＰ）などで一体に成形され、且つ防水パン４と一体に成形されている。
【００２１】
各端部着座部８ａは、排水貯留槽６の内幅に亘って排水貯留槽６の内面に張り出すように形成され、各中間着座部８ｂは、排水貯留槽６の内面に対向壁に向かって張り出すように形成されている。この場合、全ての端部着座部８ａおよび中間着座部８ｂは、上面が水平な平坦面となっており、且つ同一高さに形成されている。この場合、着座部８の高さは、排水貯留槽６の深さの１／２程度となっており、排水貯留槽６に多量の排水が流れ込む場合以外は、下枠本体３３およびアタッチメント支持部材３４が排水に浸漬しないようになっている。これにより、下枠本体３３およびアタッチメント支持部材３４の腐食やかびの発生等が抑制される。また、排水管７に連なる排水貯留槽６の排水口９は、中間着座部８ｂを逃げて下壁６ｂの中央に形成されている。したがって、排水貯留槽６の各部に流下した排水は、中間着座部８ｂにせき止められることなく、排水口９に導かれる。
【００２２】
なお、上記の実施形態では、下枠アタッチメント３５の浴室Ａ側の端部をアタッチメント支持部材３４で支持するようにしているが、アタッチメント支持部材３４を省略し、下枠アタッチメント３５の浴室Ａ側の端部を防水パン４の位置まで延長し、防水パン４に支持させるようにしてもよい。この場合には、浴室側側壁６ａに添設した中間着座部８ｂも、省略される。
【００２３】
次に、図４を参照して、参考例を含む本発明の第２実施形態について説明する。この実施形態では、建具が、ドア本体２ａと枠体３ａとから成る浴室ドア１ａで構成されている。また、上記の実施形態と異なり、下枠３１が下枠本体３３と下枠アタッチメント３５とで構成されている。下枠本体３３は、本体中空部７１と、本体中空部７１からビスホールを経て略「Ｔ」字状に延びる床押さえ部７２とで構成されており、本体中空部７１の上面には、下枠アタッチメント３５の脱衣室Ｂ側の端部が掛け止めされる段部７３が形成されている。
【００２４】
下枠アタッチメント３５は、床押さえ部７２から間隙を隔てたドア本体２ａの直下から防水パン４まで水平に延びるアタッチメント本体７４と、アタッチメント本体７４の脱衣室Ｂ側の端部から下方に延在する掛止め部７５とで構成されている。下枠アタッチメント３５は、掛止め部７５が下枠本体３３の本体中空部７１に掛止めされることでその一方の端部が支持され、他方の端部が防水パン４の端部に載ることで支持されている。また、ドア本体２ａの下端には、その浴室Ａ側にアタッチメント本体７４に密接する浴室側シール部材７６が、その脱衣室Ｂ側に床押さえ部７２に密接する脱衣室側シール部材７７が、それぞれ取り付けられている。この浴室側シール部材７６は、第１実施形態の下框側シール部材２３に相当し、脱衣室側シール部材７７は、第１実施形態の下枠側シール部材４６に相当する。
【００２５】
一方、排水貯留槽６は、第１実施形態と同一であるが、これに形成した複数の中間着座部８ｂは、下枠本体３３が着座する脱衣室Ｂ側の中間着座部８ｂのみ設けられている。なお、この実施形態の下枠本体３３と下枠アタッチメント３５とから成る下枠３１を、第１実施形態と同様に、下枠本体、下枠アタッチメントおよびアタッチメント支持部材で構成してもよい。かかる場合には、排水貯留槽および着座部は、第１実施形態と同様の構造となる。
【００２６】
次に、図５を参照して、本発明の第３実施形態について説明する。この実施形態では、建具が第１実施形態と同様に、折戸本体２ｂと枠体３ｂとから成る折戸１ｂで構成されているが、この場合には、折戸本体２ｂが見込み方向の浴室Ａ寄りに配設されている。このため、下枠本体３３は浴室Ａ側に配設され、アタッチメント支持部材３４は脱衣室Ｂ側に配設されている。そして、下枠本体３３とアタッチメント支持部材３４との間に装着した下枠アタッチメント３５は、脱衣室Ｂ側において着脱される。
【００２７】
下枠本体３３は、逆「Ｌ」字状に形成された本体中空部８１と、本体中空部８１から延びるパン押さえ部８２と、本体中空部８１の先端に立設したレール部８３と、本体中空部８１の懐部分に形成しアタッチメント係止部８４とで構成されている。また、アタッチメント支持部材３４は、方形の部材中空部８５と、部材中空部８５の上面から延びる床押さえ部８６とで構成されている。さらに、下枠アタッチメント３５は、アタッチメント係止部８４に差し込まれるようにして係止される係止片部８７と、係止片部８７に連なり下枠側シール部材４６が取り付けられるシール取付部８８と、シール取付部８８に連なるアタッチメント本体８９と、アタッチメント本体８９の端から下方に直角に延び部材中空部８５に着座する垂下部９０とで構成されている。なお、排水貯留槽６および着座部８は、第１実施形態のものと同一の構造を有している。
【００２８】
次に、図６を参照して、本発明の第４実施形態について説明する。この実施形態では、建具が３枚の引戸本体２ｃと枠体３ｃとから成る３枚引戸１ｃで構成されている。下枠３１は、３枚の引戸本体２ｃの直下に配設した下枠本体３６と、下枠本体３６の脱衣室Ｂ側の端部を支持する脱衣室側支持部材３７と、下枠本体３６の浴室Ａ側の端部を支持する浴室側支持部材３８とで、構成されている。脱衣室側支持部材３７は、脱衣室Ｂ側の中間着座部８ｂに着座し、浴室側支持部材３８は浴室Ａ側の中間着座部８ｂに着座している。
【００２９】
下枠本体３６は、板状のプレート部９１と、プレート部９１に交互に立設した３つのシール取付部９２および３つのレール部９３と、プレート部９１の脱衣室Ｂ側の端部に連なる屈曲部９４とで構成されており、屈曲部９４で脱衣室側支持部材３７に係止され、プレート部９１の浴室Ａ側の端部で浴室側支持部材３８に着座するようにして、脱衣室側支持部材３７および浴室側支持部材３８に着脱自在に装着されている。すなわち、下枠本体３６は、排水貯留槽６の開閉蓋を兼ねており、３枚の引戸本体２ｃを外した後、この下枠本体３６を取り外すことにより、排水貯留槽６の内部清掃が可能になる。また、各シール取付部９２には、対応する各引戸本体２ｃの下端部に浴室側から密接するシール部材９５が取り付けられている。なお、プレート部９１には、水抜き孔を形成することが好ましい。
【００３０】
脱衣室側支持部材３７は、部材中空部９６と、部材中空部９６の上側に形成され上記の屈曲部９４が係止される係止部９７と、係止部９７から延びる床押さえ部９８とで構成されている。また、浴室側支持部材３８は、部材中空部９９と、部材中空部９９から延びるパン押さえ部１００とで構成される。なお、この実施形態においても、排水貯留槽６および着座部８は、第１実施形態のものと同一の構造を有している。
【００３１】
次に、図７を参照して、参考例としての本発明の第５実施形態について説明する。この実施形態でも、建具が３枚の引戸本体２ｄと枠体３ｄとから成る３枚引戸１ｄで構成されている。ただしこの場合には、下枠３１の浴室側支持部材３８は省略されており、これに代えて、下枠本体３６の浴室Ａ側の端部には、防水パン４まで延びるパン押さえ部１０１が、一体に形成されている。なお、この実施形態の排水貯留槽６および着座部８は、第２実施形態のものと同一の構造を有している。
【００３２】
以上のように、これらの実施形態によれば、排水貯留槽６が断面「Ｕ」字状に形成されているため、これを設置するスペースに無駄なスペースが生ずることがなく、排水貯留槽６の貯留容量をその設置スペースに比して大きくとることができる。また、着座部８をそれぞれが独立した複数のもので構成しているため、排水貯留槽６の貯留容量に大きな影響を与えることなく、下枠３１を安定に支持することができる。さらに、下枠３１を複数の着座部８で直接支持するようにしているため、着座部８を設けた排水貯留槽６の構造を単純化することができ、その清掃性を向上させることができる。
【００３３】
【発明の効果】
以上のように本発明の浴室の排水構造によれば、排水貯留槽が断面略「Ｕ」に形成されるため、設置スペースに比してその貯留容量を最大限大きくとることができる。また、下枠が着座する着座部の着座部の構造および下枠の構造を単純化することができる。したがって、設置スペースを大きくすることなく、排水貯留槽の貯留容量を大きくとることができると共に、単純な構造で下枠を安定に支持することができる。
【図面の簡単な説明】
【図１】第１実施形態に係る浴室の排水構造を適用した浴室出入口廻りの拡大縦断面図である。
【図２】第１実施形態に係る排水貯留槽の平面図である。
【図３】第１実施形態に係る排水貯留槽の部分斜視図である。
【図４】第２実施形態に係る浴室の排水構造を適用した浴室出入口廻りの拡大縦断面図である。
【図５】第３実施形態に係る浴室の排水構造を適用した浴室出入口廻りの拡大縦断面図である。
【図６】第４実施形態に係る浴室の排水構造を適用した浴室出入口廻りの拡大縦断面図である。
【図７】第５実施形態に係る浴室の排水構造を適用した浴室出入口廻りの拡大縦断面図である。
【符号の説明】
１  折戸、２  折戸本体、３  枠体、４  防水パン、６  排水貯留槽、６ａ  浴室側側壁、６ｂ  下壁、６ｃ  脱衣室側側壁、６ｄ  端部壁、８  着座部、８ａ端部着座部、８ｂ  中間着座部、２３  下框側シール部材、３１  下枠、３３下枠本体、３４  アタッチメント支持部材、３５  下枠アタッチメント、Ａ  浴室、Ｂ  脱衣室
【図１】
0003604570.tif 000002
【図２】
0003604570.tif 000003
【図３】
0003604570.tif 000004
【図４】
0003604570.tif 000005
【図５】
0003604570.tif 000006
【図６】
0003604570.tif 000007
【図７】
0003604570.tif 000008